(57)【要約】【課題】、監視対象機器のログ情報を、ログ情報の内容に応じて適切な期間保存する。【解決手段】インクジェット印刷装置２のログ情報を収集するログ収集部１４と、収集された所定量分のログ情報を１つの第１のログファイルとして、第１のログファイルを第１の期間記憶する第１のログ記憶部１５と、第１のログファイルを第２のログファイルとして、第２の期間記憶する第２のログ記憶部１６と、インクジェット印刷装置２が正常に停止されるときに、終了フラグを記憶するフラグ記憶部１３と、インクジェット印刷装置２が起動されるときに、フラグ記憶部１３に終了フラグが記憶されているか否かを判定する判定部１７と、終了フラグが記憶されていないと判定された場合、第１のログ記憶部１５に記憶された１以上の第１のログファイルのうち最後に記憶されたものを、第２のログ記憶部１６に第２のログファイルとして記憶させるログ移動部１８とを備える。【選択図】図１
2012118589.tif 000002
【特許請求の範囲】
【請求項１】
監視対象機器のログ情報を収集するログ収集手段と、
前記ログ収集手段により収集された所定量分のログ情報を１つの第１ログファイルとして、１以上の前記第１ログファイルの各々を第１期間記憶する第１ログ記憶手段と、
前記第１ログ記憶手段に記憶された第１ログファイルを第２ログファイルとして、前記第１期間より長い第２期間記憶する第２ログ記憶手段と、
前記監視対象機器が正常に停止されたか否かを示す停止情報を記憶する記憶手段と、
前記監視対象機器が起動されるときに、前記停止情報に基づいて、前記監視対象機器が前回正常に停止されたか否かを判定する判定手段と、
前記判定手段により、前記監視対象機器が前回正常に停止されなかったと判定された場合、前記第１ログ記憶手段に記憶された１以上の第１ログファイルのうち最後に記憶されたものを、前記第２ログ記憶手段に前記第２ログファイルとして記憶させるログ移動手段と、
を備えたことを特徴とする情報管理装置。
【請求項２】
前記第１ログ記憶手段は、
前記ログ収集手段により収集された所定量分のログ情報を１つの第１ログファイルとして、最新の前記第１ログファイルを１つだけ第１期間記憶するように、古い前記第１ログファイルを順次消去する
ことを特徴とする請求項１記載の情報管理装置。
【請求項３】
監視対象機器のログ情報を収集するログ収集手段と、
前記ログ収集手段により収集された所定量分のログ情報を１つの第１ログファイルとして、１以上の前記第１ログファイルを第１期間記憶する第１ログ記憶手段と、
前記第１ログ記憶手段に記憶された第１ログファイルを第２ログファイルとして、前記第１期間より長い第２期間記憶する第２ログ記憶手段と、
前記監視対象機器に障害が発生したことを検出する障害検出手段と、
前記障害検出手段により障害が発生したことが検出された場合に、前記第１ログ記憶手段に記憶された１以上の第１ログファイルのうち最後に記憶されたものを、前記第２ログ記憶手段に前記第２ログファイルとして記憶させるログ移動手段と、
を備えたことを特徴とする情報管理装置。
【発明の詳細な説明】
【技術分野】
【０００１】
本発明は、画像形成装置に関する情報を取得し、この取得した情報を管理する情報管理装置に関する。
【背景技術】
【０００２】
一般的に、印刷媒体に対して印刷を行う画像形成装置とネットワークを介して接続され、画像形成装置の通信ログ、操作ログ、及びエラーログ等のログ情報を収集する情報収集装置がよく知られている。
【０００３】
例えば、特許文献１には、障害発生時の原因調査用の詳細ログ情報と通常状態把握用の通常時ログ情報の２種類のログ情報をそれぞれ収集するログ情報収集部と、ログ情報収集部によって収集された詳細ログ情報と通常時ログ情報とを、設定部により設定された保存期間を越えないように、それぞれ蓄積保存するログ情報蓄積部とを設ける情報収集装置が提案されている。
【先行技術文献】
【特許文献】
【０００４】
【特許文献１】特開２００６−１７２４０１号公報
【発明の概要】
【発明が解決しようとする課題】
【０００５】
しかしながら、特許文献１に記載された情報収集装置では、ログの内容にかかわらず、設定部により設定された保存期間だけ詳細ログ情報と通常時ログ情報とをそれぞれ蓄積保存するので、必要性の薄い詳細ログ情報と通常時ログ情報を記憶してしまい、必要な記憶容量が増大していた。
【０００６】
一般的に監視対象装置に障害が発生した場合、ログ情報を障害発生時の原因解析等に活用することが多いので、この障害発生時のログ情報を、長期間保存しておく必要がある。一方、障害が発生した場合以外のログ情報については利用価値が低いので保存しておく必要性は薄く、記憶容量を節約するため短期間で消去する方が好ましい。
【０００７】
本発明は、上記課題に鑑みてなされたものであり、監視対象機器のログ情報を、ログ情報の内容に応じて適切な期間保存する情報管理装置を提供することを目的とする。
【課題を解決するための手段】
【０００８】
上記目的を達成するため、本発明に係る情報管理装置の第１の特徴は、監視対象機器のログ情報を収集するログ収集手段と、前記ログ収集手段により収集された所定量分のログ情報を１つの第１ログファイルとして、１以上の前記第１ログファイルの各々を第１期間記憶する第１ログ記憶手段と、前記第１ログ記憶手段に記憶された第１ログファイルを第２ログファイルとして、前記第１期間より長い第２期間記憶する第２ログ記憶手段と、前記監視対象機器が正常に停止されたか否かを示す停止情報を記憶する記憶手段と、前記監視対象機器が起動されるときに、前記停止情報に基づいて、前記監視対象機器が前回正常に停止されたか否かを判定する判定手段と、前記判定手段により、前記監視対象機器が前回正常に停止されなかったと判定された場合、前記第１ログ記憶手段に記憶された１以上の第１ログファイルのうち最後に記憶されたものを、前記第２ログ記憶手段に前記第２ログファイルとして記憶させるログ移動手段と、を備えたことにある。
【０００９】
本発明に係る情報管理装置の第２の特徴は、前記第１ログ記憶手段は、前記ログ収集手段により収集された所定量分のログ情報を１つの第１ログファイルとして、最新の前記第１ログファイルを１つだけ第１期間記憶するように、古い前記第１ログファイルを順次消去することにある。
【００１０】
本発明に係る情報管理装置の第３の特徴は、監視対象機器のログ情報を収集するログ収集手段と、前記ログ収集手段により収集された所定量分のログ情報を１つの第１ログファイルとして、１以上の前記第１ログファイルを第１期間記憶する第１ログ記憶手段と、前記第１ログ記憶手段に記憶された第１ログファイルを第２ログファイルとして、前記第１期間より長い第２期間記憶する第２ログ記憶手段と、前記監視対象機器に障害が発生したことを検出する障害検出手段と、前記障害検出手段により障害が発生したことが検出された場合に、前記第１ログ記憶手段に記憶された１以上の第１ログファイルのうち最後に記憶されたものを、前記第２ログ記憶手段に前記第２ログファイルとして記憶させるログ移動手段と、を備えたことにある。
【発明の効果】
【００１１】
本発明に係る情報管理装置の第１の特徴によれば、判定手段により、監視対象機器が前回正常に停止されなかったと判定された場合、第１ログ記憶手段に記憶された１以上の第１ログファイルのうち最後に記憶されたものを、第２ログ記憶手段に第２ログファイルとして記憶させるので、監視対象機器のログ情報を、ログ情報の内容に応じて適切な期間保存することができる。
【００１２】
本発明に係る情報管理装置の第２の特徴によれば、最新の第１ログファイルを１つだけ第１期間記憶するので、第１ログ記憶手段の記憶容量を低減することができる。
【００１３】
本発明に係る情報管理装置の第３の特徴によれば、障害検出手段により障害が発生したことが検出された場合に、第１ログ記憶手段に記憶された１以上の第１ログファイルのうち最後に記憶されたものを、第２ログ記憶手段に第２ログファイルとして記憶させるので、監視対象機器に軽微な障害が発生したときにおいても、監視対象機器のログ情報を、ログ情報の内容に応じて適切な期間保存することができる。
【図面の簡単な説明】
【００１４】
【図１】本発明の一実施形態である情報管理装置が適用された印刷システムの構成を示した構成図である。
【図２】本発明の一実施形態である情報管理装置における監視対象機器停止時処理の処理手順を示したフローチャートである。
【図３】本発明の一実施形態である情報管理装置における監視対象機器起動時処理の処理手順を示したフローチャートである。
【図４】本発明の一実施形態である情報管理装置におけるログファイルの移動を説明した図である。
【図５】本発明の一実施形態である情報管理装置における監視対象機器障害発生時処理の処理手順を示したフローチャートである。
【発明を実施するための形態】
【００１５】
以下、本発明の実施の形態を、図面を参照しながら詳細に説明する。
【００１６】
本発明の一実施形態では、印刷ジョブに基づいて所定の印刷媒体に印刷を行うインクジェット印刷装置と接続され、インクジェット印刷装置に関するログ情報を取得し、この取得したログ情報を管理する情報管理装置を例に挙げて説明する。
【００１７】
＜画像形成システムの構成＞
図１は、本発明の一実施形態である情報管理装置が適用された印刷システムの構成を示した構成図である。
【００１８】
図１に示すように、印刷システム１０は、情報管理装置１と、画像形成装置であるインクジェット印刷装置２とを備えている。
【００１９】
インクジェット印刷装置２は、印刷制御部２１と、印刷部２２とを備えている。
【００２０】
印刷制御部２１は、利用者の操作に基づいて生成された印刷ジョブ又は外部から供給された印刷ジョブに基づいて、印刷部２２に印刷させる。
【００２１】
また、印刷制御部２１は、インクジェット印刷装置２のログ情報を情報管理装置１へ送信する。さらに、印刷制御部２１は、インクジェット印刷装置２を起動する際、インクジェット印刷装置２の電源がオンされたことを示す電源状態情報を情報管理装置１へ送信し、インクジェット印刷装置２を正常に停止する際、インクジェット印刷装置２の電源がオフされたことを示す電源状態情報を情報管理装置１へ送信する。なお、例えば、利用者の操作により、インクジェット印刷装置２が強制終了された場合、正常に終了処置を実行できないので、電源状態情報を情報管理装置１へ送信することはない。
【００２２】
さらに、印刷制御部２１は、インクジェット印刷装置２がフリーズすることなく、通信障害等の何らかのエラーを検出した場合、印刷制御部２１は、インクジェット印刷装置２に障害が発生したことを示す障害発生情報を情報管理装置１へ送信する。
【００２３】
印刷部２２は、印刷制御部２１から供給される印刷ジョブに基づいて、インクジェットヘッド（図示しない）からシアン（Ｃ）、マゼンタ（Ｍ）、イエロー（Ｙ）、及びブラック（Ｋ）の合計４色のインクを吐出することにより、所定の寸法に切断された印刷媒体に対してカラー印刷を行う。
【００２４】
情報管理装置１は、入出力インタフェース１１と、フラグ記憶制御部１２と、フラグ記憶部１３と、ログ収集部１４と、第１のログ記憶部１５と、第２のログ記憶部１６と、判定部１７と、ログ移動部１８と、障害検出部１９とを備えている。
【００２５】
入出力インタフェース１１は、インクジェット印刷装置２と接続するための接続インタフェースであり、インクジェット印刷装置２から、インクジェット印刷装置２の電源がオン又はオフされたことを示す電源状態情報が供給される。また、入出力インタフェース１１は、インクジェット印刷装置２から、インクジェット印刷装置２のログ情報や、障害発生情報が供給される。
【００２６】
フラグ記憶制御部１２は、監視対象機器であるインクジェット印刷装置２が正常に停止されるときに、終了フラグ（停止情報）をフラグ記憶部１３に記憶させる。また、フラグ記憶制御部１２は、インクジェット印刷装置２が正常に電源がオフされた後に起動する場合に、フラグ記憶部１３に記憶された終了フラグを消去する。
【００２７】
フラグ記憶部１３は、監視対象機器であるインクジェット印刷装置２が正常に停止されるときに、終了フラグを記憶する。
【００２８】
ログ収集部１４は、監視対象機器であるインクジェット印刷装置２から入出力インタフェース１１を介して供給されたログ情報を収集し、収集したログ情報を第１のログ記憶部１５に記憶させる。このログ情報には、インクジェット印刷装置２の操作履歴を示す操作ログ情報や、インクジェット印刷装置２の印刷制御部２１と印刷部２２との間の通信履歴を示す通信ログ情報や、インクジェット印刷装置２で発生した障害の履歴を示すエラーログ情報等が含まれている。
【００２９】
第１のログ記憶部１５は、ログ収集部１４により収集された所定量分のログ情報を１つの第１のログファイルとして、１以上の第１のログファイルを第１の期間だけ記憶する。ここでは、第１のログ記憶部１５は、ファイル名“ｆｉｌｅ０”〜“ｆｉｌｅ４”の５つの第１のログファイルを記憶しており、それぞれの第１のログファイルは、１週間分のログ情報が順に書き込まれる。例えば、ファイル名“ｆｉｌｅ０”の第１のログファイルに１週間分のログ情報が書き込まれた後、順次、ファイル名“ｆｉｌｅ１”〜“ｆｉｌｅ４”の第１のログファイルに１週間毎にログ情報が書き込まれる。そして、ファイル名“ｆｉｌｅ４”の第１のログファイルに１週間分のログ情報が書き込まれると、既存のファイル名“ｆｉｌｅ０”の第１のログファイルが消去され、新たなファイル名“ｆｉｌｅ０”の第１のログファイルを生成し、このファイル名“ｆｉｌｅ０”の第１のログファイルにログ情報が書き込まれていく。
【００３０】
このように、ファイル名“ｆｉｌｅ０”〜“ｆｉｌｅ４”の５つの第１のログファイルに順次１週間分のログ情報が書き込まれるので、第１のログファイルは、それぞれ５週間（第１の期間）だけ第１のログ記憶部１５に記憶されていることになる。
【００３１】
第２のログ記憶部１６は、第１のログ記憶部１５に記憶された第１のログファイルを第２のログファイルとして、第１の期間より長い第２の期間記憶する。ここで、後述するが、第２のログファイルには、監視対象機器であるインクジェット印刷装置２の障害発生時のログ情報が含まれているので、第２の期間は、例えば、６ケ月等、障害発生時のログ情報を保存しておきたい期間として設定される。
【００３２】
判定部１７は、監視対象機器が起動されるときに、終了フラグに基づいて、監視対象機器が前回正常に停止されたか否かを判定する。具体的には、判定部１７は、フラグ記憶部１３に終了フラグが記憶されている場合、監視対象機器が前回正常に停止されたと判定し、フラグ記憶部１３に終了フラグが記憶されていない場合、監視対象機器が前回正常に停止されなかったと判定する。
【００３３】
障害検出部１９は、監視対象機器であるインクジェット印刷装置２に障害が発生したことを検出する。
【００３４】
ログ移動部１８は、判定部１７により、監視対象機器が前回正常に停止されなかった、即ち、終了フラグが記憶されていないと判定された場合、第１のログ記憶部１５に記憶された１以上の第１のログファイルのうち最後に記憶されたものを、第２のログ記憶部１６に第２のログファイルとして記憶させる。
【００３５】
また、ログ移動部１８は、障害検出部１９により障害が発生したことが検出された場合に、第１のログ記憶部１５に記憶された１以上の第１のログファイルのうち最後に記憶されたものを、第２のログ記憶部１６に第２のログファイルとして記憶させる。
【００３６】
＜情報管理装置１の作用＞
本発明の一実施形態である情報管理装置１の作用について説明する。
【００３７】
本発明の一実施形態である情報管理装置１は、主に監視対象機器停止時処理、監視対象機器起動時処理、及び監視対象機器障害発生時処理を行う。そのため、各々の処理について以下に詳細に説明する。
【００３８】
≪監視対象機器停止時処理≫
図２は、本発明の一実施形態である情報管理装置１における監視対象機器停止時処理の処理手順を示したフローチャートである。
【００３９】
図２に示すように、フラグ記憶制御部１２は、監視対象機器であるインクジェット印刷装置２の電源が正常にオフされたか否かを判定する（ステップＳ１０１）。具体的には、フラグ記憶制御部１２は、インクジェット印刷装置２の印刷制御部２１から入出力インタフェース１１を介して、インクジェット印刷装置２の電源が正常にオフされたことを示す電源状態情報が供給されると、インクジェット印刷装置２の電源が正常にオフされたと判定する。
【００４０】
ステップＳ１０１において、インクジェット印刷装置２の電源が正常にオフされたと判定された場合（ＹＥＳの場合）、フラグ記憶制御部１２は、終了フラグを生成する（ステップＳ１０３）。
【００４１】
次に、フラグ記憶制御部１２は、ステップＳ１０３において生成した終了フラグをフラグ記憶部１３に記憶させる（ステップＳ１０５）。
【００４２】
このように、本発明の一実施形態である情報管理装置１は、監視対象機器であるインクジェット印刷装置２の電源が正常にオフされた場合、終了フラグをフラグ記憶部１３に記憶させるので、例えば、インクジェット印刷装置２が強制終了された場合、インクジェット印刷装置２から、電源が正常にオフされたことを示す電源状態情報が供給されないので、終了フラグはフラグ記憶部１３に記憶されない。
【００４３】
これにより、後述するように、インクジェット印刷装置２が電源が正常にオフされたか、強制終了されたのかを判定することができる。
【００４４】
≪監視対象機器起動時処理≫
図３は、本発明の一実施形態である情報管理装置１における監視対象機器起動時処理の処理手順を示したフローチャートである。
【００４５】
図３に示すように、判定部１７は、インクジェット印刷装置２の電源がオンされたか否かを判定する（ステップＳ２０１）。具体的には、判定部１７は、インクジェット印刷装置２の印刷制御部２１から入出力インタフェース１１を介して、インクジェット印刷装置２の電源がオンされたことを示す電源状態情報が供給されると、インクジェット印刷装置２の電源がオンされたと判定する。
【００４６】
ステップＳ２０１において、インクジェット印刷装置２の電源がオンされたと判定された場合（ＹＥＳの場合）、判定部１７は、フラグ記憶部１３に終了フラグが記憶されているか否かを判定する（ステップＳ２０３）。
【００４７】
ステップＳ２０３において、フラグ記憶部１３に終了フラグが記憶されていると判定された場合（ＹＥＳの場合）、インクジェット印刷装置２は、前回の電源オフ時、正常にオフされたと判定できるので、フラグ記憶制御部１２は、フラグ記憶部１３に記憶された終了フラグを消去する（ステップＳ２０５）。
【００４８】
一方、ステップＳ２０３において、フラグ記憶部１３に終了フラグが記憶されていないと判定された場合（ＮＯの場合）、インクジェット印刷装置２は、前回の電源オフ時、強制終了された、即ち、インクジェット印刷装置２が前回正常に停止されなかったと判定できるので、ログ移動部１８は、第１のログ記憶部１５に最後に記憶された第１のログファイルを第２のログ記憶部１６に移動する（ステップＳ２０７）。
【００４９】
図４は、本発明の一実施形態である情報管理装置１におけるログファイルの移動を説明した図である。
【００５０】
図４（ａ）に示すように、第１のログ記憶部１５は、ファイル名“ｆｉｌｅ０”〜“ｆｉｌｅ４”の５つの第１のログファイル１００〜１０４が記憶されている。それぞれの第１のログファイル１００〜１０４は、上述したように、１週間分のログ情報が書き込まれおり、５週間（第１の期間）だけ第１のログ記憶部１５に記憶されている。
【００５１】
ここで、ログ収集部１４が、第１のログ記憶部１５の第１のログファイル１０４にログ情報を記憶しているときに、インクジェット印刷装置２に何らかの障害が発生してフリーズし、利用者の操作によりインクジェット印刷装置２が強制終了されたとする。
【００５２】
この場合、インクジェット印刷装置２から、電源が正常にオフされたことを示す電源状態情報が供給されないので、終了フラグはフラグ記憶部１３に記憶されない。
【００５３】
次に、インクジェット印刷装置２の電源がオンされた場合、フラグ記憶部１３に終了フラグが記憶されていないので、図４（ｂ）に示すように、ログ移動部１８は、第１のログ記憶部１５に最後に記憶された第１のログファイル１０４のファイル名を、“ｆｉｌｅ４”から“ｆｉｌｅＬ０”に変更して、第２のログファイル２００として第２のログ記憶部１６に記憶させると共に、第１のログファイル１０４を消去する。
【００５４】
このように、インクジェット印刷装置２が強制終了された場合、障害が発生した時点のログ情報を含む第１のログファイルを第２のログファイルとして第２のログ記憶部１６に記憶するので、障害発生の原因解析等に活用される可能性が高いログ情報を含む第２のログファイルを長期間記憶することができる。
【００５５】
以上のように、本発明の一実施形態である情報管理装置１によれば、判定部１７により、終了フラグが記憶されていないと判定された場合、第１のログ記憶部１５に記憶された１以上の第１のログファイルのうち最後に記憶されたものを、第２のログ記憶部１６に第２のログファイルとして記憶させるので、監視対象機器であるインクジェット印刷装置２に障害が発生したときのログ情報を長期間保存することができると共に、インクジェット印刷装置２に障害が発生していないときのログ情報は短期間保存することにより必要な記憶容量を節約することができる。
【００５６】
≪監視対象機器障害発生時処理≫
図５は、本発明の一実施形態である情報管理装置１における監視対象機器障害発生時処理の処理手順を示したフローチャートである。
【００５７】
図５に示すように、障害検出部１９は、監視対象機器であるインクジェット印刷装置２に障害が発生したか否かを判定する（ステップＳ３０１）。具体的には、障害検出部１９は、インクジェット印刷装置２がフリーズすることなく、印刷制御部２１が何らかのエラーを検出した場合、印刷制御部２１は、インクジェット印刷装置２に障害が発生したことを示す障害発生情報を情報管理装置１へ送信する。そして、インクジェット印刷装置２から入出力インタフェース１１を介して障害発生情報が供給された場合、障害検出部１９は、インクジェット印刷装置２に障害が発生したことを検出する。
【００５８】
ステップＳ３０１において、監視対象機器であるインクジェット印刷装置２に障害が発生したと判定された場合（ＹＥＳの場合）、ログ移動部１８は、第１のログ記憶部１５に最後に記憶された第１のログファイルを第２のログ記憶部１６に移動する（ステップＳ３０３）。
【００５９】
これにより、インクジェット印刷装置２に、フリーズしない軽微な障害が発生した場合においても、障害が発生した時点のログ情報を含む第１のログファイルを第２のログファイルとして第２のログ記憶部１６に記憶するので、障害発生の原因解析等に活用される可能性が高いログ情報を含む第２のログファイルを長期間記憶することができる。
【００６０】
以上のように、本発明の一実施形態である情報管理装置１によれば、障害検出部１９により障害が発生したことが検出された場合に、第１のログ記憶部１５に記憶された１以上の第１のログファイルのうち最後に記憶されたものを、第２のログ記憶部１６に第２のログファイルとして記憶させるので、監視対象機器であるインクジェット印刷装置２に軽微な障害が発生したときにおいても、軽微な障害が発生したときのログ情報を長期間保存することができると共に、インクジェット印刷装置２に軽微な障害が発生していないときのログ情報は短期間保存することにより必要な記憶容量を節約することができる。
【００６１】
なお、本発明の一実施形態である情報管理装置１では、インクジェット印刷装置２から障害発生情報が供給された場合、インクジェット印刷装置２に障害が発生したと判定し、ログ移動部１８が、第１のログ記憶部１５に最後に記憶された第１のログファイルを第２のログ記憶部１６に移動したが、これに限らない。
【００６２】
例えば、インクジェット印刷装置２から供給されるログ情報に基づいて、インクジェット印刷装置２に障害が発生したか否かを判定するようにしてもよい。
【００６３】
また、本発明の一実施形態では、第１のログ記憶部１５が、ログ収集部１４により収集された所定量分のログ情報を１つの第１のログファイルとして、５つの第１のログファイルを第１の期間だけ第１のログ記憶部１５に記憶する情報管理装置１を例に挙げて説明したが、これに限らず、ログ収集部１４により収集された所定量分のログ情報を１つの第１のログファイルとして、最新の第１のログファイルを１つだけ第１の期間だけ第１のログ記憶部１５に記憶するように、古い第１のログファイルを順次消去するようにしてもよい。
【００６４】
また、本発明の一実施形態では、フラグ記憶制御部１２が、監視対象機器であるインクジェット印刷装置２が正常に停止されるときに、終了フラグをフラグ記憶部１３に記憶させ、インクジェット印刷装置２が正常に電源がオフされた後に起動する場合に、フラグ記憶部１３に記憶された終了フラグを消去すると共に、判定部１７が、インクジェット印刷装置２が起動されるときに、フラグ記憶部１３に終了フラグが記憶されていない場合、インクジェット印刷装置２が前回正常に停止されなかったと判定する情報管理装置１を例に挙げて説明したが、これに限らない。
【００６５】
例えば、フラグ記憶制御部１２が、監視対象機器であるインクジェット印刷装置２が起動するときに、終了フラグをフラグ記憶部１３に記憶させ、インクジェット印刷装置２が正常に停止されるときに、フラグ記憶部１３から終了フラグを消去させると共に、判定部１７が、インクジェット印刷装置２が起動されるときに、フラグ記憶部１３に終了フラグが記憶されている場合、インクジェット印刷装置２が前回正常に停止されなかったと判定するようにしてもよい。
【００６６】
また、本発明の一実施形態では、インクジェット印刷装置２と接続され、インクジェット印刷装置２から、ログ情報、電源状態情報、及び障害発生情報を取得する情報管理装置１を例に挙げて説明したが、これに限らない。
【００６７】
例えば、情報管理装置１が、インクジェット印刷装置２の内部に備えられ、印刷制御部２１からログ情報、電源状態情報、及び障害発生情報を取得する構成としてもよい。
【００６８】
また、本発明の一実施形態である情報管理装置１は、インクジェットヘッドから４色のインクを吐出することにより、所定の寸法に切断された印刷媒体に対してカラー印刷を行うインクジェット方式のプリンタであるインクジェット印刷装置２と接続される構成を例に挙げて説明したが、接続先のプリンタは、これに限らず、レーザ方式、又は孔版印刷方式等の印刷装置であってもよい。
【符号の説明】
【００６９】
１…情報管理装置
２…インクジェット印刷装置
１０…印刷システム
１１…入出力インタフェース
１２…フラグ記憶制御部
１３…フラグ記憶部
１４…ログ収集部
１５…第１のログ記憶部
１６…第２のログ記憶部
１７…判定部
１８…ログ移動部
１９…障害検出部
２１…インクジェット印刷部
２１…印刷制御部
２２…印刷部
【図１】
2012118589.tif 000003
【図２】
2012118589.tif 000004
【図３】
2012118589.tif 000005
【図４】
2012118589.tif 000006
【図５】
2012118589.tif 000007